(57)【特許請求の範囲】
【請求項１】
内容物が収容される容器本体と、
該容器本体内の内容物を吐出する吐出器と、を備え、
該吐出器は、
前記容器本体の口部に装着される装着キャップと、
該装着キャップに上方付勢状態で下方移動可能に貫設されたステムを有する吐出器本体と、
前記ステムの上端部に固定されるとともに、内容物が吐出される吐出孔が頂壁部に形成された有頂筒状の吐出ヘッドと、を備える吐出容器であって、
内部に前記容器本体が収容され、かつ前記吐出ヘッドが固定される外ケースと、
該外ケースの内部から外部に向けて露出する操作ボタンと、を備え、
該操作ボタンは、前記外ケースに弾性連結片を介して、容器軸に交差する押込み方向に沿って前記外ケースの内側に向けて押し込み可能に連結され、
該操作ボタンには、前記押込み方向に沿った前側に向けて押上げ突片が突設され、
該押上げ突片には、前記押込み方向に沿った前側から後側に向かうに従い漸次、下方から上方に向けて延在し、前記装着キャップに該装着キャップの下方から当接する押上げ部が設けられ、
前記弾性連結片は、前記外ケース内に設けられた支持部により、前記押込み方向に沿った後側から支持されていることを特徴とする吐出容器。
【請求項２】
請求項１記載の吐出容器であって、
前記操作ボタンは、前記装着キャップを間に挟むように一対配設されていることを特徴とする吐出容器。
【請求項３】
内容物が収容される容器本体と、
該容器本体内の内容物を吐出する吐出器と、を備え、
該吐出器は、
前記容器本体の口部に装着される装着キャップと、
該装着キャップに上方付勢状態で下方移動可能に貫設されたステムを有する吐出器本体と、
前記ステムの上端部に固定されるとともに、内容物が吐出される吐出孔が頂壁部に形成された有頂筒状の吐出ヘッドと、を備える吐出容器であって、
内部に前記容器本体が収容され、かつ前記吐出ヘッドが固定される外ケースと、
該外ケースの内部から外部に向けて露出する操作ボタンと、を備え、
該操作ボタンは、前記外ケースに弾性連結片を介して、容器軸に交差する押込み方向に沿って前記外ケースの内側に向けて押し込み可能に連結され、
該操作ボタンには、前記押込み方向に沿った前側に向けて押上げ突片が突設され、
該押上げ突片には、前記押込み方向に沿った前側から後側に向かうに従い漸次、下方から上方に向けて延在し、前記装着キャップに該装着キャップの下方から当接する押上げ部が設けられ、
前記操作ボタンは、前記装着キャップを間に挟むように一対配設されていることを特徴とする吐出容器。
【発明の詳細な説明】
【技術分野】
【０００１】
本発明は、吐出容器に関する。
【背景技術】
【０００２】
内容物を吐出孔から吐出して被付着部分に付着させる吐出容器として、従来から、例えば下記特許文献１に示されるような、内容物が収容される容器本体と、該容器本体内の内容物を吐出する吐出器と、を備える構成が知られている。該吐出器は、容器本体の口部に装着される装着キャップと、装着キャップに上方付勢状態で下方移動可能に貫設されたステムを有する吐出器本体と、ステムの上端部に固定されるとともに、内容物が吐出される吐出孔が頂壁部に形成された有頂筒状の吐出ヘッドと、を備えている。
【先行技術文献】
【特許文献】
【０００３】
【特許文献１】特公平６−１３０５３号公報
【発明の概要】
【発明が解決しようとする課題】
【０００４】
しかしながら、前記従来の吐出容器では、内容物を被付着部分に付着させるときに、吐出ヘッドを容器本体に対して押し下げて内容物を吐出孔から吐出するため、この吐出時に吐出ヘッドが移動することで、内容物を正確な位置に付着させることが困難であるという問題があった。
【０００５】
本発明は、前述した事情に鑑みてなされたものであって、その目的は、内容物を吐出孔から正確な位置に付着させることができる吐出容器を提供することである。
【課題を解決するための手段】
【０００６】
前記課題を解決するために、本発明は以下の手段を提案している。
本発明に係る吐出容器は、内容物が収容される容器本体と、該容器本体内の内容物を吐出する吐出器と、を備え、該吐出器は、前記容器本体の口部に装着される装着キャップと、該装着キャップに上方付勢状態で下方移動可能に貫設されたステムを有する吐出器本体と、前記ステムの上端部に固定されるとともに、内容物が吐出される吐出孔が頂壁部に形成された有頂筒状の吐出ヘッドと、を備える吐出容器であって、内部に前記容器本体が収容され、かつ前記吐出ヘッドが固定される外ケースと、該外ケースの内部から外部に向けて露出する操作ボタンと、を備え、該操作ボタンは、前記外ケースに弾性連結片を介して、容器軸に交差する押込み方向に沿って前記外ケースの内側に向けて押し込み可能に連結され、該操作ボタンには、前記押込み方向に沿った前側に向けて押上げ突片が突設され、該押上げ突片には、前記押込み方向に沿った前側から後側に向かうに従い漸次、下方から上方に向けて延在し、前記装着キャップに該装着キャップの下方から当接する押上げ部が設けられ、前記弾性連結片は、前記外ケース内に設けられた支持部により、前記押込み方向に沿った後側から支持されていることを特徴とする。なお、前記操作ボタンは、前記装着キャップを間に挟むように一対配設されていてもよい。
また、本発明に係る吐出容器は、内容物が収容される容器本体と、該容器本体内の内容物を吐出する吐出器と、を備え、該吐出器は、前記容器本体の口部に装着される装着キャップと、該装着キャップに上方付勢状態で下方移動可能に貫設されたステムを有する吐出器本体と、前記ステムの上端部に固定されるとともに、内容物が吐出される吐出孔が頂壁部に形成された有頂筒状の吐出ヘッドと、を備える吐出容器であって、内部に前記容器本体が収容され、かつ前記吐出ヘッドが固定される外ケースと、該外ケースの内部から外部に向けて露出する操作ボタンと、を備え、該操作ボタンは、前記外ケースに弾性連結片を介して、容器軸に交差する押込み方向に沿って前記外ケースの内側に向けて押し込み可能に連結され、該操作ボタンには、前記押込み方向に沿った前側に向けて押上げ突片が突設され、該押上げ突片には、前記押込み方向に沿った前側から後側に向かうに従い漸次、下方から上方に向けて延在し、前記装着キャップに該装着キャップの下方から当接する押上げ部が設けられ、前記操作ボタンは、前記装着キャップを間に挟むように一対配設されていることを特徴とする。
【０００７】
この発明では、操作ボタンを外ケースの内側に向けて押し込むと、弾性連結片が弾性変形しながら、操作ボタンが、押上げ突片とともに押込み方向に沿った前側に移動する。このとき、押上げ突片の押上げ部と、装着キャップと、が互いに摺接した状態で、押上げ突片が押込み方向に沿った前側に移動することとなり、装着キャップが、押上げ部上を摺動して上方に向けて移動する。これにより、装着キャップが、容器本体とともに外ケースの内部でステムおよび吐出ヘッドに対して押し上げられ、容器本体内の内容物が吐出孔から吐出される。
その後、操作ボタンの押し込みを解除すると、ステムに作用する付勢力により、装着キャップが容器本体とともにステムおよび吐出ヘッドに対して押し下げられる。このとき装着キャップが、押上げ突片の押上げ部に摺接しながら下方に移動することで、押上げ突片が、操作ボタンとともに押込み方向に沿った後側に向けて復元移動させられる。またこのとき、弾性連結片が復元変形することで、操作ボタンには弾性連結片の弾性復元力も作用する。
【０００８】
以上より、操作ボタンを押し込むことで、内容物を吐出孔から吐出させることができるので、内容物の吐出時に、吐出ヘッドおよび外ケースは上下動させないままにしておくことが可能になり、吐出孔の被付着部分に対する位置を安定させ、内容物を正確な位置に付着させることができる。
また、操作ボタンの押し込みを解除したときに、操作ボタンに、ステムに作用する付勢力と、弾性連結片の弾性復元力と、の両方を作用させながら、操作ボタンを復元移動させることができるので、操作ボタンを円滑に復元移動させることができる。
【００１０】
また、弾性連結片が、支持部により押込み方向に沿った後側から支持されている場合、操作ボタンを押し込んでいない待機状態で、操作ボタンが外ケースの外部に向けて意図せず大きく張り出すのを抑えることが可能になり、操作ボタンが不用意に押し込まれるのを抑制することができる。
【００１２】
また、操作ボタンが、装着キャップを間に挟むように一対配設されている場合、両操作ボタンを、それぞれ外ケースの外部から同時に押し込んで、両操作ボタンにおける押上げ突片の各押上げ部上で、装着キャップを同時に摺動させることで、装着キャップの水平方向の位置を安定させた状態で、装着キャップを押し上げることが可能になり、内容物を確実に吐出させることができる。
【００１３】
なお、両操作ボタンにおける押上げ突片同士のうちの押上げ部同士がそれぞれ、装着キャップのうち、容器軸を間に挟んで互いに反対側に位置する各部分に当接する場合には、両操作ボタンを同時に押し込んだときに、装着キャップを各押上げ突片により、容器軸を間に挟んだ両側から押し上げることが可能になり、装着キャップを一層安定に押し上げることができる。
【発明の効果】
【００１４】
本発明に係る吐出容器によれば、内容物を吐出孔から正確な位置に付着させることができる。
【図面の簡単な説明】
【００１５】
【図１】本発明の一実施形態に係る吐出容器の部分縦断面図である。
【図２】図１に示す吐出容器の部分縦断面図である。
【図３】図１に示す吐出容器のＡ−Ａ断面矢視図である。
【図４】図１に示す吐出容器を構成する連結体の斜視図である。
【図５】図１に示す吐出容器の作用を説明するための部分縦断面図である。
【発明を実施するための形態】
【００１６】
以下、図面を参照し、本発明の一実施形態に係る吐出容器を説明する。
図１および図２に示すように、吐出容器１０は、内容物が収容される容器本体１１と、該容器本体１１内の内容物を吐出する吐出器１２と、内部に容器本体１１が収容される外ケース１３と、該外ケース１３の内部から外部に向けて露出する操作ボタン１４と、を備えている。該吐出容器１０は、例えば内容物としての点鼻剤を鼻孔内に吐出する点鼻容器などとして用いられる。
【００１７】
ここで、容器本体１１および外ケース１３は有底筒状に形成され、これらの容器本体１１および外ケース１３の各中心軸線は、共通軸上に位置している。以下、この共通軸を容器軸Ｏといい、容器軸Ｏに沿って外ケース１３の底部１３ａ側を下側といい、その反対側を上側という。なお図３に示すように、外ケース１３は、容器軸Ｏ方向から見た平面視において略長方形状に形成されており、長手幅方向に沿った大きさが、長手幅方向に直交する短手幅方向に沿った大きさよりも大きい形状とされている。
【００１８】
図１および図２に示すように、吐出器１２は、容器本体１１の口部１１ｂに装着される装着キャップ１５と、該装着キャップ１５に上方付勢状態で下方移動可能に貫設されたステム１６を有する吐出器本体１７と、ステム１６の上端部に固定されるとともに、内容物が吐出される吐出孔１８が頂壁部１９ａに形成された有頂筒状の吐出ヘッド１９と、を備えている。該吐出器１２は、吐出ヘッド１９を押し下げてステム１６を下方に移動させ、吐出器本体１７を作動させることにより、容器本体１１内の内容物を、吐出ヘッド１９内を通して吐出孔１８から吐出させる。
【００１９】
装着キャップ１５は、容器軸Ｏと同軸に配置されるとともに容器軸Ｏ方向の両側に開口し容器本体１１の口部１１ｂに外装された本体筒部２０と、該本体筒部２０の外周面に突設された軸部２１と、を備えている。
本体筒部２０は、下方から上方に向かうに従い漸次、縮径する多段の筒状に形成されており、本体筒部２０のうちの下段部が、前記口部１１ｂに外装されている。
図３に示すように、軸部２１は、本体筒部２０の前記下段部の外周面から、前記短手幅方向に沿って突設されるとともに、容器軸Ｏを間に挟むように一対配設されている。これらの軸部２１同士の容器軸Ｏ方向の位置は、互いに同等となっている。
【００２０】
図１および図２に示すように、吐出器本体１７は、前記ステム１６と、装着キャップ１５から下方に向けて延在するとともに容器本体１１内に収容され、内部にステム１６の下端部が上下動自在に配設された図示しないシリンダと、ステム１６の下端部に設けられるとともに前記シリンダの内部に上下摺動自在に配設された図示しないピストン部材と、ステム１６と前記シリンダとの間に介装されるとともに、ステム１６を上方付勢する図示しない付勢部材と、を備えており、本実施形態では吐出器本体１７として、いわゆるポンプ機構を採用している。
ステム１６は、容器軸Ｏと同軸に配置され、ステム１６の上端部は、本体筒部２０の上端から上方に突出している。
【００２１】
吐出ヘッド１９は、容器軸Ｏと同軸に配置されるとともに、下端から上端に向かうに従い漸次、縮径しており、例えば前記鼻孔内に挿入容易に構成されている。
吐出ヘッド１９の頂壁部１９ａには、前記吐出孔１８が、容器軸Ｏと同軸に配設されている。また該頂壁部１９ａには、容器軸Ｏと同軸に配置され内部が吐出孔１８と連通するノズル筒部２２が、下方に向けて延設されており、該ノズル筒部２２の下端部内には、吐出器本体１７のステム１６の上端部が嵌合されている。
【００２２】
吐出ヘッド１９の下端部は、装着キャップ１５における本体筒部２０のうちの上段部に上下動自在に外挿されており、該下端部には、環状のフランジ部２３の内周縁が連結されている。フランジ部２３の外周縁は、前記外ケース１３の口部１３ｂの開口端縁上に配置されている。またフランジ部２３には、外ケース１３の口部１３ｂ内に嵌合される嵌合筒部２４が、下方に向けて延設されており、これにより、外ケース１３に吐出ヘッド１９が固定されている。
【００２３】
なお図示の例では、フランジ部２３には、前記長手幅方向に延在するガイド部材２５が設けられている。ガイド部材２５は、フランジ部２３から下方に向けて延設されており、下端縁が前記長手幅方向に沿って延在する板状に形成されている。該ガイド部材２５の前記長手幅方向の両端部は、嵌合筒部２４の内周面に各別に連結されている。
【００２４】
外ケース１３の底部１３ａには、該底部１３ａの上方から前記容器本体１１の底部１１ａが近接または当接している。また外ケース１３の底部１３ａには、容器軸Ｏと同軸に配置されるとともに容器本体１１よりも大径な筒状に形成された被装着部２６が立設されている。
また外ケース１３には、該外ケース１３を前記長手幅方向に貫通する開口部２７が、容器軸Ｏを前記長手幅方向に挟むように一対配設されている。開口部２７は、外ケース１３においてその口部１３ｂよりも下方に配設されている。これらの開口部２７には、前記操作ボタン１４が各別に配設されており、該操作ボタン１４は、装着キャップ１５を間に挟むように一対配設されている。
【００２５】
両操作ボタン１４はそれぞれ、外ケース１３に弾性連結片３０を介して、容器軸Ｏに直交する押込み方向に沿って外ケース１３の内側に向けて押し込み可能に連結されている。なお図示の例では、両操作ボタン１４の中心軸線は共通軸上に位置し、両操作ボタン１４の各押込み方向は、該共通軸に沿う方向で互いに一致し、前記長手幅方向と平行となっている。
操作ボタン１４は、表裏面が押込み方向を向く押圧板部２８と、該押圧板部２８の外周縁から、押込み方向に沿った前側に向けて突設された補強筒部２９と、を備えている。
補強筒部２９の周面は、押込み方向に沿って延在しており、補強筒部２９は、吐出ヘッド１９の前記ガイド部材２５に、該ガイド部材２５の下方から近接または当接している。
【００２６】
弾性連結片３０は、表裏面が押込み方向を向きかつ容器軸Ｏ方向に沿う板状に形成されている。弾性連結片３０の上端部は、操作ボタン１４の補強筒部２９において、押込み方向に沿った前側に位置する前端部に、該前端部の下方から連結されている。これにより操作ボタン１４は、弾性連結片３０よりも押込み方向に沿った後側に向けて張り出している。
また弾性連結片３０の下端部は、外ケース１３の前記被装着部２６に装着された装着部材３１を介して外ケース１３に連結されている。装着部材３１は、被装着部２６に外嵌された筒状に形成されている。
【００２７】
さらに弾性連結片３０は、外ケース１３内に設けられた支持部３２により、押込み方向に沿った後側から支持されている。本実施形態では、弾性連結片３０と外ケース１３の内周面との間には、押込み方向の隙間３３があいており、該隙間３３に前記支持部３２が配設されている。支持部３２は、外ケース１３の内周面から、押込み方向に沿った前側に向けて突設されており、容器軸Ｏ方向に長い縦リブ状に形成されている。支持部３２は、操作ボタン１４の補強筒部２９に、該補強筒部２９の下方から近接または当接しており、支持部３２の上端縁は、押込み方向に沿って延在している。なお図示の例では、支持部３２の下端は、外ケース１３の底部１３ａに連結されている。
【００２８】
そして本実施形態では、操作ボタン１４には、押込み方向に沿った前側に向けて押上げ突片３４が突設されており、該押上げ突片３４には、押込み方向に沿った前側から後側に向かうに従い漸次、下方から上方に向けて延在し、装着キャップ１５に該装着キャップ１５の下方から当接する押上げ部３５が設けられている。
図１および図３に示すように、押上げ突片３４は、表裏面が容器軸Ｏ方向および押込み方向の両方向に沿って延在する板状に形成されており、装着キャップ１５の本体筒部２０に対して、前記短手幅方向にずらされた位置に配設されている。
【００２９】
図１に示すように、押上げ部３５は、押上げ突片３４の端縁により構成されており、図示の例では、押上げ突片３４のうち、押込み方向に沿った前側に位置する前端部における上端縁により構成されている。押上げ部３５は、当該吐出容器１０を前記短手幅方向から見た正面視で、容器軸Ｏを押込み方向に跨るように延在している。また押上げ部３５は、装着キャップ１５の軸部２１に、該軸部２１の下方から当接しており、図示の例では、押上げ部３５のうち、前記正面視で容器軸Ｏよりも押込み方向に沿った後側に位置する部分が、装着キャップ１５の軸部２１に当接している。
【００３０】
また図３に示すように、各操作ボタン１４には、押上げ突片３４が１つずつ設けられており、両操作ボタン１４における押上げ突片３４同士は、容器軸Ｏを前記短手幅方向に挟んで互いに反対側に位置するとともに、容器軸Ｏ方向の位置が互いに同等となっている。そして、両操作ボタン１４における押上げ突片３４同士のうちの押上げ部３５同士がそれぞれ、装着キャップ１５のうち、容器軸Ｏを間に挟んで互いに反対側に位置する各部分である各軸部２１に当接している。
【００３１】
なお本実施形態では、図４に示すように、操作ボタン１４、押上げ突片３４、弾性連結片３０、および装着部材３１は、一体成形されてなる。これらの操作ボタン１４、弾性連結片３０および装着部材３１からなる連結体３６は、直線状に列をなして連結された状態で成形され、その後、操作ボタン１４が、弾性連結片３０の下端部を起点として、押込み方向に沿った前側に向けて回動された状態で、外ケース１３に組み付けられる。
【００３２】
次に、以上のように構成された吐出容器１０を用いて内容物を吐出するときには、図５に示すように、一対の操作ボタン１４を、それぞれ外ケース１３の内側に向けて同時に押し込む。すると、弾性連結片３０が弾性変形しながら、各操作ボタン１４が、押上げ突片３４とともに押込み方向に沿った前側に移動する。このとき図示の例では、弾性連結片３０が、その下端部を起点として押込み方向に弾性変形するとともに、操作ボタン１４が、前記ガイド部材２５および前記支持部３２にガイドされながら押込み方向に沿って移動させられる。
【００３３】
すると、押上げ突片３４の押上げ部３５と、装着キャップ１５の軸部２１と、が互いに摺接した状態で、押上げ突片３４が押込み方向に沿った前側に移動することとなり、装着キャップ１５の軸部２１が押上げ部３５上を摺動し、装着キャップ１５が上方に向けて移動する。これにより、装着キャップ１５が、容器本体１１とともに外ケース１３の内部でステム１６および吐出ヘッド１９に対して押し上げられ、ステム１６が、容器本体１１に対して相対的に下方に向けて移動させられる。このとき、ステム１６の移動に追従して前記ピストン部材が前記シリンダの内周面に摺接しつつ下方に移動し、該シリンダ内の内容物が圧縮され、ステム１６内および吐出ヘッド１９の前記ノズル筒部２２内を流通して吐出孔１８から吐出される。
【００３４】
その後、操作ボタン１４の押し込みを解除すると、ステム１６に作用する付勢力により、装着キャップ１５が容器本体１１とともにステム１６および吐出ヘッド１９に対して押し下げられる。このとき、装着キャップ１５の軸部２１が、押上げ突片３４の押上げ部３５に摺接しながら、装着キャップ１５が下方に移動することで、押上げ突片３４が、操作ボタン１４とともに押込み方向に沿った後側に向けて復元移動させられる。またこのとき、弾性連結片３０が復元変形することで、操作ボタン１４には弾性連結片３０の弾性復元力も作用する。
【００３５】
以上説明したように、本実施形態に係る吐出容器１０によれば、操作ボタン１４を押し込むことで、内容物を吐出孔１８から吐出させることができるので、内容物の吐出時に、吐出ヘッド１９および外ケース１３は上下動させないままにしておくことが可能になり、吐出孔１８の被付着部分に対する位置を安定させ、内容物を正確な位置に付着させることができる。
また、操作ボタン１４の押し込みを解除したときに、操作ボタン１４に、ステム１６に作用する付勢力と、弾性連結片３０の弾性復元力と、の両方を作用させながら、操作ボタン１４を復元移動させることができるので、操作ボタン１４を円滑に復元移動させることができる。
【００３６】
また、操作ボタン１４が前記補強筒部２９を備えており、この補強筒部２９により押圧板部２８を補強することができるので、操作ボタン１４を押し込むときに、例えば操作ボタン１４が変形するのを抑制すること等が可能になり、操作ボタン１４を安定に押し込むことができる。これにより、内容物の吐出時に吐出容器１０の姿勢を安定させ、内容物を一層正確な位置に付着させることができる。
【００３７】
また弾性連結片３０が、支持部３２により押込み方向に沿った後側から支持されているので、操作ボタン１４を押し込んでいない待機状態で、操作ボタン１４が外ケース１３の外部に向けて意図せず大きく張り出すのを抑えることが可能になり、操作ボタン１４が不用意に押し込まれるのを抑制することができる。
【００３８】
また操作ボタン１４が、装着キャップ１５を間に挟むように一対配設されているので、図５に示すように、両操作ボタン１４を、それぞれ外ケース１３の内側に向けて同時に押し込んで、両操作ボタン１４における押上げ突片３４の各押上げ部３５上で、装着キャップ１５の両軸部２１を同時に摺動させることで、装着キャップ１５の水平方向の位置を安定させた状態で、装着キャップ１５を押し上げることが可能になり、内容物を確実に吐出させることができる。
【００３９】
なお本実施形態のように、両操作ボタン１４における押上げ突片３４同士のうちの押上げ部３５同士がそれぞれ、装着キャップ１５のうち、容器軸Ｏを間に挟んで互いに反対側に位置する各軸部２１に当接する場合には、両操作ボタン１４を同時に押し込んだときに、装着キャップ１５を各押上げ突片３４により、容器軸Ｏを間に挟んだ両側から押し上げることが可能になり、装着キャップ１５を一層安定に押し上げることができる。
【００４０】
なお、本発明の技術的範囲は前記実施形態に限定されるものではなく、本発明の趣旨を逸脱しない範囲において種々の変更を加えることが可能である。
例えば、ガイド部材２５はなくてもよい。
また前記実施形態では、操作ボタン１４は、装着キャップ１５を間に挟むように一対配設されているものとしたが、これに限られるものではなく、操作ボタン１４が１つだけ配設されていてもよい。
【００４１】
また前記実施形態では、押上げ部３５が、押上げ突片３４の上端縁により構成されているものとしたが、これに限られない。例えば、押上げ突片３４に前記短手幅方向に貫通するとともに、押上げ突片３４の押込み方向に沿った前側から後側に向かうに従い漸次、下方から上方に向けて延在する貫通溝が形成され、この貫通溝を画成する端縁が、押上げ部３５とされてもよい。
【００４２】
また前記実施形態では、両操作ボタン１４の中心軸線が共通軸上に位置し、両操作ボタン１４の各押込み方向が、該共通軸に沿う方向で互いに一致しているものとしたが、装着キャップ１５を間に挟むように一対配設されていれば、これに限られない。例えば、両操作ボタン１４の各押込み方向が一致していなくてもよく、また両操作ボタン１４の中心軸線が共通軸上に位置していなくてもよい。
【００４３】
さらに前記実施形態では、操作ボタン１４の押込み方向が、前記長手幅方向と平行であるものとしたが、これに限られず、例えば短手幅方向と平行であってもよい。
さらにまた、前記実施形態では、操作ボタン１４の押込み方向が、容器軸Ｏに直交する方向であるものとしたが、容器軸Ｏに交差する方向であれば、これに限られない。
【００４４】
また前記実施形態では、押上げ部３５が、装着キャップ１５の軸部２１に、軸部２１の下方から当接しているものとしたが、これに限られるものではない。例えば装着キャップ１５の本体筒部２０に、該本体筒部２０の下方から当接していてもよい。
さらに前記実施形態では、前記待機状態で、押上げ部３５が、装着キャップ１５に当接しているものとしたが、操作ボタン１４が押し込まれたときに、押上げ部３５が装着キャップ１５に当接する構成であれば、前記待機状態で、押上げ部３５が、装着キャップ１５に当接せずに近接していたり、離間していたりしてもよい。
【００４５】
さらに前記実施形態では、１つの操作ボタン１４に、１つの押上げ突片３４が設けられているものとしたが、これに限られるものではない。例えば、１つの操作ボタン１４に、複数の押上げ突片３４を、容器軸Ｏ方向、前記短手幅方向の位置を互いに異ならせて設けることも可能である。特に、操作ボタン１４を１つだけ配設した場合、押上げ突片３４を、装着キャップ１５を間に挟むように操作ボタン１４から一対突設させることで、装着キャップ１５の安定した押し上げが可能となる。
【００４６】
また前記実施形態では、前記隙間３３に支持部３２が設けられているものとしたが、これに限られるものではない。例えば、弾性連結片３０と外ケース１３との間に前記隙間３３を設けずに、弾性連結片３０を、支持部としての外ケース１３の内周面により、押込み方向に沿った後側から支持してもよい。
【００４７】
また前記実施形態では、操作ボタン１４が、押圧板部２８と補強筒部２９とを備えるものとしたが、これに限られるものではなく、他の構成を適宜採用することが可能である。
さらに前記実施形態では、外ケース１３は、前記長手幅方向に沿った大きさが前記短手幅方向に沿った大きさよりも大きくなっているものとしたが、内部に容器本体１１が収容され、かつ吐出ヘッド１９が固定される構成であれば、適宜変更することが可能である。例えば、外ケース１３を、前記平面視で、外形状が真円をなす円筒状に形成してもよい。
さらにまた前記実施形態では、吐出器本体１７として、いわゆるポンプ機構を採用したが、これに代えて、例えばエアゾール機構などの他の構造を採用してもよい。
【００４８】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００４９】
１０  吐出容器
１１  容器本体
１１ｂ  口部
１２  吐出器
１３  外ケース
１４  操作ボタン
１５  装着キャップ
１６  ステム
１７  吐出器本体
１８  吐出孔
１９  吐出ヘッド
１９ａ  頂壁部
３０  弾性連結片
３２  支持部
３４  押上げ突片
３５  押上げ部
Ｏ  容器軸
【図１】
0005707234.tif 000002
【図２】
0005707234.tif 000003
【図３】
0005707234.tif 000004
【図４】
0005707234.tif 000005
【図５】
0005707234.tif 000006